(57)【要約】【課題】流体袋に流体を過剰に供給せずとも高い測定精度を得ることができる電子血圧計を提供する。【解決手段】電子血圧計１は、周方向に巻き回され、かつ自動的に生体表面に巻き付けられる生体圧迫用空気袋１３を有するカフユニット５と、そのカフユニット５を内部に収容するシェル６と、カフユニット５およびシェル６よりなる測定部１７を支持する基体２とを備えている。カフユニット５はシェル６に対して周方向（矢印Ａ方向）に回転可能に構成されている。【選択図】図１
2007296188.tif 000002
【特許請求の範囲】
【請求項１】
周方向に巻き回され、かつ自動的に生体表面に巻き付けられる生体圧迫用流体袋を有する筒状のカフユニットと、
前記カフユニットを支持する基体とを備え、
前記カフユニットが前記基体に対して前記周方向に回転可能に構成されている、電子血圧計。
【請求項２】
前記カフユニットを前記周方向に回転させる際の固定位置に位置決めするための位置決め機構をさらに備えたことを特徴とする、請求項１に記載の電子血圧計。
【請求項３】
前記カフユニットを前記周方向に回転させる際の固定位置で前記基体に固定するための固定機構をさらに備えたことを特徴とする、請求項１または２に記載の電子血圧計。
【請求項４】
前記カフユニットが前記周方向に過度に回転することを防止するための回転停止機構をさらに備えたことを特徴とする、請求項１〜３のいずれかに記載の電子血圧計。
【請求項５】
前記カフユニットは、前記カフユニットを前記周方向に回転操作するためのつまみを有することを特徴とする、請求項１〜４のいずれかに記載の電子血圧計。
【請求項６】
前記カフユニットを前記周方向に回転させるための回転機構をさらに備え、
前記回転機構は回転のための駆動力を前記カフユニットに伝達するための歯車を有することを特徴とする、請求項１〜５のいずれかに記載の電子血圧計。
【請求項７】
前記カフユニットを前記周方向へ回転させる際に前記周方向へ案内するための案内機構をさらに備え、
前記案内機構は、凸状レールと、前記凸状レールが嵌る凹状レールとを有することを特徴とする、請求項１〜６のいずれかに記載の電子血圧計。
【請求項８】
周方向に巻き回され、かつ自動的に生体表面に巻き付けられる生体圧迫用流体袋を有する筒状のカフユニットと、
前記カフユニットの中心軸を通る径方向の仮想線を中心として前記カフユニットを回転可能に支持する基体とを備え、
前記生体圧迫用流体袋の前記周方向の中心位置が前記仮想線から前記周方向にずれた位置に配されている、電子血圧計。
【請求項９】
前記カフユニットに回転可能に取り付けられた表示部をさらに備えたことを特徴とする、請求項８に記載の電子血圧計。
【発明の詳細な説明】
【技術分野】
【０００１】
本発明は、電子血圧計に関し、特に、自動的に生体表面に巻き付けられる生体圧迫用流体袋を有する電子血圧計に関するものである。
【背景技術】
【０００２】
近年、高血圧を要因とする生活習慣病の早期発見や血圧管理のために血圧計が広く普及している。通常、血圧値の測定に際しては、動脈を圧迫する流体袋を内包するカフを生体の体表面に巻き付け、巻き付けた流体袋を膨張・収縮させることによって動脈内に生じる動脈圧脈波の検出を行ない、これによって血圧値の測定が行なわれる。
【０００３】
ここで、カフとは、内腔を有する帯状の構造物であって生体の被測定部位（たとえば上腕や手首など）に巻き付けが可能なものを意味し、気体や液体などの流体を内腔に注入することによって上下肢の動脈圧測定に利用されるもののことを指す。したがって、カフは、流体袋とこの流体袋を生体に巻き付けるための巻付手段とを含めた概念を示す言葉であり、腕帯あるいはマンシェットと呼ばれることもある。
【０００４】
従来の血圧計においては、生体へのカフの巻き付け作業を被験者などの手に委ねていたため、測定毎にカフの巻き付け強さにばらつきが生じ、結果として測定される血圧値にもばらつきが生じていた。このため、近年においては、自動的に生体へカフを巻き付けることが可能な自動カフ巻付装置を備えた血圧計が普及しつつある。この自動カフ巻付装置を搭載した血圧計においては、一定の巻き付け強さが測定毎に再現されるようになるため、安定した測定精度が実現されるばかりでなく、煩雑な巻き付け作業が不要になるというメリットも得られる。
【０００５】
通常、血圧計に搭載される自動カフ巻付装置においては、生体を圧迫するための生体圧迫用流体袋の外側に略円筒状の可撓性部材を配置した構成が採用される。この可撓性部材は、血圧値の測定に際して、生体圧迫用流体袋を生体に対して押し付け、生体圧迫用流体袋を外周囲から拘束固定するための部材である。一般にこの可撓性部材はカーラと呼ばれる場合が多い。このカーラの機能により、測定時における生体圧迫用流体袋の圧力損失が減少し、精度よく血圧値を測定することが可能になる。
【０００６】
上述の自動カフ巻付装置としては、種々の機構のものが提案されている。たとえば特開２００５−２３０１７５号公報（特許文献１）には、生体を圧迫するための生体圧迫用空気袋と、その外側にカーラを介して生体圧迫用空気袋を生体に押し付けるためのカーラ圧迫用空気袋とを有する生体圧迫固定装置が開示されている。
【０００７】
また、たとえば特開２００４−２５４８８２号公報（特許文献２）には、圧迫用と計測用の空気袋が収納された円筒状のカフ帯の両端部を同時に巻き取ることにより、被験者の腕にカフ帯を自動的に巻き付ける技術が開示されている。
【特許文献１】特開２００５−２３０１７５号公報
【特許文献２】特開２００４−２５４８８２号公報
【発明の開示】
【発明が解決しようとする課題】
【０００８】
しかしながら、これらの技術では、図４３（ａ）に示す右腕１００Ａの血圧測定時および図４３（ｂ）に示す左腕１００Ｂの血圧測定時のいずれにおいても、測定用（生体圧迫用）空気袋２０１の各腕への装着位置は同じである。一方、右腕１００Ａおよび左腕１００Ｂの各動脈１００ａ、１００ｂの位置は互いに左右対称の位置にある。このため、各腕１００Ａ、１００Ｂの動脈１００ａ、１００ｂは、測定用空気袋２０１の周方向（矢印Ａで示す方向）の端部Ｅ１、Ｅ２に位置することになる。
【０００９】
ここで測定用空気袋２０１に空気を供給して膨張させると、その周方向の中心位置Ｃが最も大きく膨らもうとする。このため、図４４に示すように測定用空気袋２０１の周方向中心位置Ｃにおいて腕を圧迫する力が最も大きくなり、周方向の端部に向かうほど小さくなる。よって、測定用空気袋２０１の周方向端部Ｅ１、Ｅ２においては圧迫力が中心位置Ｃより小さくなる。このように各腕の動脈１００ａ、１００ｂに加えられる圧迫力が小さくなるため、医療規格を満たすだけの血圧測定精度は確保できるものの、中心位置Ｃの圧迫力で得られるほどの高い血圧測定精度を得ることができないという課題があった。
【００１０】
また周方向端部Ｅ１、Ｅ２における圧迫力を大きくするために、測定用空気袋２０１に過剰に空気を供給することも考えられる。しかし、この場合、中心位置Ｃにおける圧迫力が大きくなりすぎて被験者が血圧測定時に痛みを感じるおそれがあるという課題もあった。
【００１１】
本発明は、上記の課題を鑑みてなされたものであり、その目的は、流体袋に流体を過剰に供給せずとも高い測定精度を得ることができる電子血圧計を提供することである。
【課題を解決するための手段】
【００１２】
本発明の一の電子血圧計は、周方向に巻き回され、かつ自動的に生体表面に巻き付けられる生体圧迫用流体袋を有するカフユニットと、カフユニットを支持する基体とを備え、カフユニットが基体に対して周方向に回転可能に構成されていることを特徴とするものである。
【００１３】
本発明の一の電子血圧計によれば、生体圧迫用流体袋を有するカフユニットを周方向に回転させることにより、左右どちらの腕で測定したとしても生体の動脈位置に生体圧迫用流体袋の周方向中心位置を合わせることができる。これにより、動脈位置に大きな圧迫力を効率良く加えることが可能となり、生体圧迫用流体袋に流体を過剰に供給せずとも高い測定精度を得ることが可能となる。
【００１４】
上記の電子血圧計において好ましくは、カフユニットを周方向に回転させる際の固定位置に位置決めするための位置決め機構がさらに備えられている。
【００１５】
これにより被験者が測定箇所に応じて所望の位置にカフユニットを位置決めすることが容易となり、測定箇所毎に高い測定精度を得ることが可能となる。
【００１６】
上記の電子血圧計において好ましくは、カフユニットを周方向に回転させる際の固定位置で基体に固定するための固定機構がさらに備えられている。
【００１７】
この固定機構によりカフユニットの位置が固定されるため、測定時にカフユニットがずれることがなく、高い測定精度を得ることが可能となる。ここで基体とは、カフユニットの外周を覆うシェルであったり、載置台に載置される基体であったりする。
【００１８】
上記の電子血圧計において好ましくは、カフユニットが周方向に過度に回転することを防止するための回転停止機構がさらに備えられている。
【００１９】
これによりカフユニットが周方向に過度に回転することが防止され、過度に回転することによる各部の負担を軽減することができる。
【００２０】
上記の電子血圧計において好ましくは、カフユニットは、そのカフユニットを周方向に回転操作するためのつまみを有している。
【００２１】
これによりカフユニットの回転操作が容易となる。
上記の電子血圧計において好ましくは、カフユニットを周方向に回転させるための回転機構がさらに備えられ、回転機構は回転のための駆動力をカフユニットに伝達するための歯車を有している。
【００２２】
これにより駆動源をカフユニットから離れた位置に配置しても、駆動源による駆動力を歯車によりカフユニットへ伝達することが可能となる。
【００２３】
上記の電子血圧計において好ましくは、カフユニットを周方向へ回転させる際に周方向へ案内するための案内機構がさらに備えられており、案内機構は、凸状レールと、その凸状レールが嵌る凹状レールとを有している。
【００２４】
このように凸状レールと凹状レールとの組合せによりカフユニットを周方向へ案内できるため、カフユニットが周方向以外の方向へずれることを防止することができる。
【００２５】
本発明の他の電子血圧計は、周方向に巻き回され、かつ自動的に生体表面に巻き付けられる生体圧迫用流体袋を有する筒状のカフユニットと、カフユニットの中心軸を通る半径方向の仮想線を中心としてカフユニットを回転可能に支持する基体とを備え、生体圧迫用流体袋の周方向の中心位置が仮想線から周方向にずれた位置に配されていることを特徴とするものである。
【００２６】
本発明の他の電子血圧計によれば、回転軸となる仮想線に対して生体圧迫用流体袋の周方向の中心位置が周方向の一方側にずれている。このため、生体圧迫用流体袋の周方向の中心位置を両腕の一方の動脈位置に合わせることができる。またカフユニットを基体に対してたとえば１８０°回転させれば、回転軸となる仮想線に対して生体圧迫用流体袋の周方向の中心位置が周方向の他方側にずれた状態とすることができる。このため、生体圧迫用流体袋の周方向の中心位置を両腕の他方の動脈位置に合わせることができる。このようにして、生体の両腕の各々の動脈位置に生体圧迫用流体袋の周方向中心位置を合わせることが可能となる。これにより、動脈位置に大きな圧迫力を効率良く加えることが可能となり、生体圧迫用流体袋に流体を過剰に供給せずとも高い測定精度を得ることが可能となる。
【００２７】
上記の電子血圧計において好ましくは、カフユニットに回転可能に取り付けられた表示部をさらに備えている。
【００２８】
これにより、カフユニットを基体に対してどのように回転させた場合でも、カフユニットに対して表示部を回転させることにより、被験者自身が表示部の表示を視認することが可能となる。
【発明の効果】
【００２９】
以上説明したように本発明の一および他の電子血圧計によれば、生体の動脈位置に生体圧迫用流体袋の周方向中心位置を合わせることができる。これにより、動脈位置に大きな圧迫力を効率良く加えることが可能となり、生体圧迫用流体袋に流体を過剰に供給せずとも高い測定精度を得ることが可能となる。
【発明を実施するための最良の形態】
【００３０】
以下、本発明の実施の形態について図に基づいて説明する。
（実施の形態１）
図１は、本発明の実施の形態１における電子血圧計の外観構造を示す斜視図である。また図２は、図１に示す測定部のＩＩ−ＩＩ線に沿う概略断面図である。
【００３１】
主に図１を参照して、本実施の形態における電子血圧計１は、机などの載置台に載置される基体２と、被測定部位である上腕を差し込むための測定部１７とを主に有している。基体２には、電源の投入に用いられる電源ボタンや測定動作を開始させるための測定ボタンなどを有する操作部３と、測定結果や操作ガイドなどを表示するための表示部４とが設けられている。測定部１７は、基体２に回動自在に取り付けられており、略円筒状の機枠であるシェル６と、シェル６の内周部に収納された略円筒形状をした筒状のカフユニット５とを有している。
【００３２】
主に図２を参照して、カフユニット５は、カバー７と、カーラ圧迫用空気袋８と、布地９と、カーラ１０と、布袋１１と、生体圧迫ユニット１２と、カフユニット外郭１６とを有している。カフユニット外郭１６の内側にカーラ圧迫用空気袋８が配置されている。カーラ圧迫用空気袋８は、カフユニット外郭１６の内周面に接触する外周層８ａと、外周層８ａの内側に位置する内周層８ｂとを有しており、外周層８ａと内周層８ｂとの一部を互いに接着または縫合することにより、これらの間に内腔８ｃが形成されている。この内腔８ｃは、後述するカーラ圧迫用エア系３０（図５参照）の作用により、膨縮自在に体積変動可能である。このカーラ圧迫用空気袋８の内腔８ｃが周方向にたとえば均等に６つの空間に区画・分割されているが、これらの空間は互いに連通しており、一のエア系によって膨張または収縮させることが可能である。
【００３３】
カーラ圧迫用空気袋８の内側には、全周にわたって低摩擦部材である布地９が配置されている。この布地９は、カーラ１０とカーラ圧迫用空気袋８とのすべり摩擦を低減するための部材である。
【００３４】
布地９の内側には、略円筒状に巻き回された板状部材からなるカーラ１０が配置されている。カーラ１０は、たとえばポリプロピレン樹脂などの樹脂材料にて形成されており、周方向における所定位置に軸方向に延びる切り欠きを有している。この切り欠きにより、カーラ１０は、外力が加えられることによって径方向に伸縮自在に弾性変形可能である。すなわち、外力が作用することによってカーラ１０は径方向に変形するが、外力の作用がなくなった場合には元の状態へと復元できる。なお、カーラ１０の周方向における両端は、外力が作用していない状態においてその一部が周方向に重複するように形成されている。これにより、収縮時にカーラ１０の両端がぶつかることによってその収縮が阻害されないように構成されている。
【００３５】
カーラ１０の大部分は、袋状に形成された低摩擦部材である布袋１１によって覆われている。この布袋１１は、上述の布地９と同様に、カーラ１０とカーラ圧迫用空気袋８とのすべり摩擦を低減するための部材である。
【００３６】
カーラ１０の内側には、生体圧迫ユニット１２が配置されている。この生体圧迫ユニット１２は、生体圧迫用流体袋としての生体圧迫用空気袋１３と、樹脂プレート１４と、布地１５とを有している。生体圧迫用空気袋１３は周方向（矢印Ａ方向）に巻き回されている。生体圧迫用空気袋１３は、樹脂プレート１４の内周面に接触する外周層１３ａと、外周層１３ａの内側に位置し、測定部１７の内周面を覆うカバー７に接触する内周層１３ｂとを有しており、外周層１３ａと内周層１３ｂとの間に内腔１３ｃを有している。この生体圧迫用空気袋１３の内腔１３ｃは、後述する生体圧迫用エア系２０（図５参照）の作用により、膨縮自在に体積変動可能である。樹脂プレート１４は、生体圧迫用空気袋１３の外側に位置し、かつ比較的剛性の小さい生体圧迫用空気袋１３の形状を略円筒状に維持するための形状維持部材として比較的大きい剛性を有している。布地１５は、この樹脂プレート１４の外側に位置し、カーラ１０と生体圧迫用空気袋１３とのすべり摩擦を低減するために樹脂プレート１４の内周面側に接触する低摩擦部材である。これらのカーラ圧迫用空気袋８、布地９、カーラ１０、布袋１１および生体圧迫ユニット１２は、カバー７によって覆われており、外部に露出していない。
【００３７】
上記のカフユニット５においては、カーラ圧迫用空気袋８を膨張させて、カーラ１０を介して生体圧迫用空気袋１３を縮径させることにより、生体圧迫用空気袋１３を被験者の腕表面に自動的に巻き付けることができる。また本実施の形態では、上記のように構成された筒状のカフユニット５がシェル６もしくは基体２に対して、径方向の移動を伴うことなく周方向（矢印Ａ方向）に回転可能に構成されている。そしてカフユニット５を生体圧迫用空気袋１３の周方向に回転させることにより、カフユニット５内に含まれる生体圧迫用空気袋１３の周方向中心位置Ｃ（図２参照）がシェル６もしくは基体２に対して径方向の移動を伴うことなく周方向（矢印Ａ方向）に回転可能である。
【００３８】
図３および図４は、図１に示す血圧計のカフユニットをシェルもしくは基体に対して周方向に回転させた様子を示す正面図である。主に図３を参照して、カフユニット５を周方向のたとえば図中反時計方向（矢印Ａ１方向）に回転させることにより、生体圧迫用空気袋１３の周方向中心位置Ｃもシェル６もしくは基体２に対して径方向の図中反時計方向に回転させることができる。この状態で、被験者はたとえば右腕の動脈に対し生体圧迫用空気袋を最適な位置で右腕の血圧の測定を行なうことができる。
【００３９】
主に図４を参照して、カフユニット５を周方向のたとえば図中時計方向（矢印Ａ２方向）に回転させることにより、生体圧迫用空気袋１３の周方向中心位置Ｃもシェル６もしくは基体２に対して径方向の図中時計方向に回転させることができる。この状態で、被験者はたとえば左腕の動脈に対し生体圧迫用空気袋を最適な位置で左腕の血圧の測定を行なうことができる。なお、図３および図４のいずれの回転操作においても、被験者はカフユニット外郭１６の外周面から突き出たつまみ部１６ａを持つことで、上記の回転操作を容易に行なうことができる。
【００４０】
図５は、図１に示す血圧計の機能ブロックを示す図である。図５を参照して、上述の生体圧迫用空気袋１３およびカーラ圧迫用空気袋８は、それぞれ生体圧迫用エア系２０およびカーラ圧迫用エア系３０に接続されている。また、生体圧迫用エア系２０およびカーラ圧迫用エア系３０は、それぞれＣＰＵ（Central Processing Unit）４０によってその動作が制御される。
【００４１】
生体圧迫用エア系２０は、エアポンプ２１と、エアバルブ２２と、圧力センサ２３とを含んでいる。エアポンプ２１は、生体圧迫用空気袋１３の内腔１３ｃを加圧するための手段であり、ＣＰＵ４０からの指令を受けたエアポンプ駆動回路２６によって駆動され、測定時において生体圧迫用空気袋１３の内腔１３ｃの圧力が所定の圧力となるように圧縮気体を内腔１３ｃに送り込む。エアバルブ２２は、生体圧迫用空気袋１３の内腔１３ｃの圧力を維持したり、あるいは減圧したりするための手段であり、ＣＰＵ４０からの指令を受けたエアバルブ駆動回路２７によってその開閉状態が制御され、測定時においてエアポンプ２１によって高圧状態となった生体圧迫用空気袋１３の内腔１３ｃの圧力の維持および減圧を行なうとともに、測定終了後において生体圧迫用空気袋１３の内腔１３ｃを大気圧に復帰させる。圧力センサ２３は、生体圧迫用空気袋１３の内腔１３ｃの圧力を検出するための手段であり、測定時において時々刻々と変化する生体圧迫用空気袋１３の内腔１３ｃの圧力を検出し、その検出値に応じた信号を増幅器２８に対して出力する。増幅器２８は、圧力センサ２３から出力される信号を増幅し、Ａ／Ｄ（Analog/Digital）コンバータ２９に出力する。Ａ／Ｄコンバータ２９は、増幅器２８から出力されたアナログ信号をデジタル化し、ＣＰＵ４０に出力する。
【００４２】
カーラ圧迫用エア系３０は、エアポンプ３１と、エアバルブ３２と、圧力センサ３３とを含んでいる。エアポンプ３１は、カーラ圧迫用空気袋８の内腔８ｃを加圧するための手段であり、ＣＰＵ４０からの指令を受けたエアポンプ駆動回路３６によって駆動され、測定開始時においてカーラ圧迫用空気袋８の内腔８ｃの圧力が所定の圧力となるように圧縮気体を内腔８ｃに送り込む。エアバルブ３２は、カーラ圧迫用空気袋８の内腔８ｃの圧力の維持および減圧を行なうための手段であり、ＣＰＵ４０からの指令を受けたエアバルブ駆動回路３７によってその開閉状態が制御され、測定時においてエアポンプ３１によって高圧状態となったカーラ圧迫用空気袋８の内腔８ｃの圧力の維持を行なうとともに、測定終了後においてカーラ圧迫用空気袋８の内腔８ｃを大気圧に復帰させる。圧力センサ３３は、カーラ圧迫用空気袋８の内腔８ｃの圧力を検出するための手段であり、測定開始時においてカーラ圧迫用空気袋８の内腔８ｃの圧力を検出し、その検出値に応じた信号を増幅器３８に対して出力する。増幅器３８は、圧力センサ３３から出力される信号を増幅し、Ａ／Ｄコンバータ３９に出力する。Ａ／Ｄコンバータ３９は、増幅器３８から出力されたアナログ信号をデジタル化し、ＣＰＵ４０に出力する。
【００４３】
ＣＰＵ４０は、血圧計の基体２に設けられた操作部３に入力された指令に基づいて生体圧迫用エア系２０およびカーラ圧迫用エア系３０の制御を行なうとともに、測定結果を表示部４やメモリ部４１に出力する。なお、メモリ部４１は、測定結果を記憶するための手段である。
【００４４】
次に、本実施の形態の血圧計における血圧測定処理の流れについて説明する。
図６は、図１に示す血圧計を用いて血圧値を測定する際の測定姿勢を示す模式断面図である。図６を参照して、上述の血圧計１を用いた血圧値の測定に際しては、被験者が、カフユニット５の内側に位置する中空部に上腕１００を差し込む。この際、被験者は、たとえば右腕で血圧を測定する場合には図３に示すようにカフユニット５をシェル６または基体２に対して周方向の図中反時計方向に回転操作をした後に、またたとえば左腕で血圧を測定する場合には図４に示すようにカフユニット５をシェル６または基体２に対して周方向の図中時計方向に回転操作をした後に、右腕または左腕をシェル６の中空部に差し込む。
【００４５】
図６を参照して、本血圧計１においては、基体２の上部に肘を載置するための肘置きが設けられている。測定中においてこの肘置きに肘を載置することにより、過渡の苦痛の生じない測定姿勢が実現されるようになる。
【００４６】
この後、血圧計１を作動させることにより、シェル６の内周部に組み込まれたカフユニット５によって上腕１００を圧迫固定が行なわれ、その後、生体圧迫用空気袋１３を膨張・収縮させることによって動脈内に生じる動脈圧脈波の検出が行なわれ、これによって血圧値の測定が行なわれる。
【００４７】
図７は、上述の構成の血圧計における測定動作を示すフローチャートである。なお、このフローチャートに従うプログラムは、図５において示したメモリ部４１に予め記憶されており、ＣＰＵ４０がメモリ部４１からこのプログラムを読出して実行することにより、血圧測定処理が実施される。
【００４８】
図５および図７を参照して、本血圧計１においては、被験者などが基体２の操作部３に設けられた測定ボタンを押下して電源をオンにすると血圧測定装置の初期化がなされ、その後、測定可能状態に移行する（ステップＳ１）。次に、血圧測定を行なうための所定の条件が整うと、ＣＰＵ４０はエアポンプ３１の駆動を開始し、カーラ圧迫用空気袋８の内腔８ｃの圧力を徐々に上昇させる（ステップＳ２）。内腔８ｃの圧力を徐々に加圧する過程において、内腔８ｃの圧力が生体圧迫用空気袋１３の上腕への巻き付けに必要な所定のレベルにまで達すると、ＣＰＵ４０はエアポンプ３１を停止し、カーラ圧迫用空気袋８の加圧を終了する（ステップ３）。
【００４９】
次に、ＣＰＵ４０はエアポンプ２１の駆動を開始し、生体圧迫用空気袋１３の内腔１３ｃの圧力を徐々に上昇させる（ステップＳ４）。内腔１３ｃの圧力を徐々に加圧する過程において、内腔１３ｃの圧力が血圧測定のために必要な所定のレベルにまで達すると、ＣＰＵ４０はエアポンプ２１を停止し、次いで閉じていたエアバルブ２２を徐々に開いて生体圧迫用空気袋１３の空気を徐々に排気し、内腔１３ｃの圧力を徐々に減圧させる（ステップＳ５）。
【００５０】
次に、ＣＰＵ４０は公知の手順で血圧値（最高血圧値、最低血圧値）を算出する（ステップＳ６）。具体的には、内腔１３ｃの圧力が徐々に減圧する過程において、ＣＰＵ４０は抽出された脈波情報に基づいて血圧値を算出する。血圧値が算出されると、算出された血圧値を表示部４に表示し（ステップＳ７）、測定日時と共に算出された血圧値をメモリ部４０に記憶する。この後、ＣＰＵ４０はエアバルブ２２、３２を開いてカーラ圧迫用空気袋８の内腔８ｃおよび生体圧迫用空気袋１３の内腔１３ｃを大気解放する（ステップＳ８）。
【００５１】
図８〜図１０は、上記測定動作中におけるカーラ圧迫用空気袋および生体圧迫用空気袋の加減圧動作についてより詳細に説明するための模式図である。このうち、図８は、測定動作前を示す図であり、図９は、カーラ圧迫用エア系を作動させてカーラ圧迫用空気袋を膨張させた状態を示す図である。また、図１０は、さらに生体圧迫用エア系を作動させて生体圧迫用空気袋を膨張させた状態を示す図である。
【００５２】
図８を参照して、カーラ圧迫用空気袋８および生体圧迫用空気袋１３が大気解放された非加圧状態においては、カーラ圧迫用空気袋８および生体圧迫用空気袋１３はともに収縮した状態となっている。したがって、これらカーラ圧迫用空気袋８と生体圧迫用空気袋１３との間に位置するカーラ１０には実質的に外力が作用していない。このため、測定部１７は、上腕１００を差し込むのに十分な空間を内部に有していることになり、上腕の断面積が比較的小さい子供や老人、成人女性から、上腕の断面積が比較的大きい成人男性にまで適応したものとなっている。なお、生体圧迫用空気袋１３の周方向における両端は、図８に示す非加圧状態においては、距離をもって離間して位置している。
【００５３】
図９を参照して、カーラ圧迫用エア系３０によってカーラ圧迫用空気袋８を加圧した第１加圧状態においては、カーラ圧迫用空気袋８はその外周層８ａがカフユニット外郭１６によって拘束されているため、径方向外側に向かっては膨張できず、結果として径方向内側に向かってのみ膨張する。このカーラ圧迫用空気袋８の膨張により、カーラ１０の外周面がカーラ圧迫用空気袋８の内周層８ｂによって内側に向かって押圧されるため、カーラ１０はその径が減縮する方向に縮径する。すなわち、カーラ１０の周方向における一方端が他方端側により深く潜り込むことによってカーラ１０が径方向に収縮する。したがって、この第１加圧状態にけるカーラ１０の直径Ｒ２は、上述の図８の非加圧状態におけるカーラ１０の直径Ｒ１よりも小さい。
【００５４】
このカーラ１０の縮径に伴い、カーラ１０の内側に位置する生体圧迫用空気袋１３も縮径する。これにより、生体圧迫用空気袋１３は、上腕１００の表面に押し付けられた状態となる。なお、生体圧迫用空気袋１３の周方向における両端は、図９に示す状態においてその一部が重複した状態になる。
【００５５】
図１０を参照して、生体圧迫用エア系２０によって生体圧迫用空気袋１３を加圧した第２加圧状態においては、生体圧迫用空気袋１３はその外周層８ａがカーラ圧迫用空気袋８によって拘束されているため、径方向外側に向かっては実質的にほとんど膨張できず、結果として径方向内側に向かってのみ膨張する。この生体圧迫用空気袋１３の膨張により上腕１００が圧迫固定され、上腕１００の内部に位置する動脈が圧迫されるようになる。この第２加圧状態から徐々に生体圧迫用空気袋１３を減圧することにより、血圧値の測定が行なわれる。
【００５６】
以上の図８〜図１０に示す加減圧動作中においては、生体圧迫用空気袋１３とカーラ１０との接触面およびカーラ１０とカーラ圧迫用空気袋８との接触面において大きな摩擦が生じることになる。そこで、本実施の形態における電子血圧計においては、生体圧迫用空気袋１３とカーラ１０との間に低摩擦部材である布地１５および布袋１１を配置し、カーラ１０とカーラ圧迫用空気袋８との間に低摩擦部材である布地９および布袋１１を配置することにより、スムーズな摺動が実現されている。上述の摩擦は、圧力センサの検出値にノイズとなって重畳するため、本実施の形態の如くの構成とすることにより、血圧値の測定精度の向上が図られる。
【００５７】
以上説明した本実施の形態によれば、図３および図４に示すように生体圧迫用空気袋１３を有するカフユニット５をシェル６または基体２に対して周方向に回転させることができる。これにより、図１１に示すように右腕測定時には、右腕１００Ａの動脈１００ａの位置に生体圧迫用空気袋１３の周方向中心位置Ｃを合わせることができる。また図１２に示すように左腕測定時にも、左腕１００Ｂの動脈１００ｂの位置に生体圧迫用空気袋１３の周方向中心位置Ｃを合わせることができる。つまり、カフユニット５の中心軸Ｏを中心としたときに、その中心軸Ｏと動脈１００ａまたは１００ｂとを通る径方向の仮想線（２点鎖線）上に生体圧迫用空気袋１３の周方向中心Ｃを位置させることができる。これにより、左右両腕の測定において動脈位置に大きな圧迫力を効率良く加えることが可能となり、生体圧迫用空気袋１３に空気を過剰に供給せずとも高い血圧測定精度を得ることが可能となる。
【００５８】
なお図１１および図１２においてはカフユニット５の内部構造を簡易化して示している。
【００５９】
また図１１および図１２に示すようにカフユニット５において、つまみ部１６ａの位置を生体圧迫用空気袋１３の周方向中心位置Ｃに合わせることが好ましい。つまり、カフユニット５の中心軸Ｏを中心としたときに、その中心軸Ｏを通る径方向の仮想線（２点鎖線）上につまみ部１６ａと生体圧迫用空気袋１３の周方向中心Ｃとが位置していることが好ましい。これにより、被験者は、生体圧迫用空気袋１３の周方向中心位置Ｃを動脈位置に合わせる目安としてつまみ部１６ａを用いることができる。
【００６０】
（実施の形態２）
図１３は、本発明の実施の形態２における電子血圧計の構成を示す概略断面図である。また図１４および図１５の各々は、位置決め固定時および移動時の各々における図１３のＰ部を拡大して示す拡大断面図である。
【００６１】
主に図１３を参照して、本実施の形態の構成は、実施の形態１の構成と比較して、カフユニット５を周方向に回転させる際の固定位置に位置決めするための位置決め機構５０を追加した点において異なる。位置決め機構５０は、たとえばカフユニット外郭１６の外周面に設けられた凹部５１と、その凹部５１に嵌り込むことが可能なボール５２と、そのボール５２をシェル６の内周側に付勢するためのスプリング５３とを有している。この構成においては、凹部５１はカフユニット外郭１６の外周面に１つだけ設けられており、ボール５２およびスプリング５３は左右の両腕用にそれぞれ２つずつ設けられている。凹部５１は、たとえば生体圧迫用空気袋１３の周方向中心Ｃの外周位置に設けられている。
【００６２】
またカフユニット外郭１６のつまみ部１６ａの周方向位置と凹部５１の周方向位置とが一致していることが好ましい。これにより、ボール５２に荷重をかけやすく、かつつまみ部１６ａを動かしやすくなり、操作性が向上する。
【００６３】
なお、本実施の形態における上記以外の構成については、上述した実施の形態１の構成とほぼ同じであるため、同一または対応する要素については同一の符号を付し、その説明を省略する。
【００６４】
本実施の形態では、この位置決め機構５０により、カフユニット５を周方向に回転させる際の位置決めを行なうことができる。具体的には、図１３においてカフユニット５を周方向のたとえば反時計方向に回転させた場合、所定の回転角度位置で図中左側に配置されたボール５２がスプリング５３に付勢されて図１４に示すように凹部５１に嵌り込む。また図１３においてカフユニット５を周方向のたとえば時計方向に回転させた場合には、所定の回転角度位置で図中右側に配置されたボール５２がスプリング５３に付勢されて図１４に示すように凹部５１に嵌り込む。これにより、カフユニット５の回転操作の抵抗が増大し、被験者はカフユニット５が測定箇所に達したことを知ることができ、カフユニット５の測定箇所への位置決めを容易に行なうことができる。
【００６５】
なお、カフユニット５の周方向の移動中には、図１５に示すようにボール５２は凹部５１に嵌り込んでおらず、カフユニット外郭１６の外周面に当接している。
【００６６】
また凹部５１を複数個設けて、生体圧迫用空気袋１３の周方向中心Ｃの位置決めを微調整できるようにすることが好ましい。また凹部５１、ボール５２およびスプリング５３の各位置は、生体圧迫用空気袋１３の周方向中心Ｃの位置が適切に決められればどの位置にあってもよい。
【００６７】
また上記の構成においては、凹部５１を１つだけ設け、ボール５２およびスプリング５３をそれぞれ２つずつ設けた構成について説明したが、図１６に示すようにボール５２およびスプリング５３を１つずつ設け、凹部５１が左右両腕用として２箇所以上設けられてもよい。
【００６８】
（実施の形態３）
図１７は、本発明の実施の形態３における電子血圧計の構成を示す概略断面図である。また図１８は、固定機構の構成を示す概略斜視図（ａ）および一部破断斜視図（ｂ）である。
【００６９】
図１７および図１８を参照して、本実施の形態の構成は、実施の形態１の構成と比較して、カフユニット５を周方向に回転させる際の固定位置でシェル６（または基体２）に固定するための固定機構６０を追加した点において異なる。固定機構６０は、たとえばカフユニット外郭１６の外周面に設けられたスライド用溝６１と、そのスライド用溝６１に沿ってスライド可能なようにスライド用溝６１に嵌合する固定用凸部６２と、その固定用凸部６２のスライドにより固定用凸部６２が挿抜可能なようにシェル６の内周面に形成された固定用凹部６３とを有している。この構成においては、固定用凹部６３は左右の両腕用にそれぞれ２つずつ設けられており、スライド用溝６１および固定用凸部６２は１つだけ設けられている。スライド用溝６１および固定用凸部６２は、たとえば生体圧迫用空気袋１３の周方向中心Ｃの外周位置に設けられている。
【００７０】
またカフユニット外郭１６のつまみ部１６ａの周方向位置とスライド用溝６１および固定用凸部６２の周方向位置とが一致していることが好ましい。
【００７１】
なお、本実施の形態における上記以外の構成については、上述した実施の形態１の構成とほぼ同じであるため、同一または対応する要素については同一の符号を付し、その説明を省略する。
【００７２】
本実施の形態では、この固定機構６０によりカフユニット５の周方向位置をシェル６（または基体２）に対して固定することができる。具体的には、カフユニット５をシェル６（または基体２）に対して所定の固定位置まで周方向に回転させた後に、固定用凸部６２をスライド用溝６１に沿ってスライドさせて固定用凹部６３内に挿入することで、カフユニット５をシェル６（または基体２）に対して固定することができる。また上記と逆の動作により、固定用凸部６２をスライド用溝６１に沿ってスライドさせて固定用凹部６３内から抜くことで、カフユニット５のシェル６（または基体２）に対する固定を解除することができる。
【００７３】
この固定機構６０によりカフユニット５の周方向位置が固定されるため、測定時にカフユニット５がずれることがなく、高い血圧測定精度を得ることが可能となる。
【００７４】
（実施の形態４）
図１９および図２０は、本発明の実施の形態４における電子血圧計の構成を示す概略斜視図および概略正面図である。
【００７５】
図１９および図２０を参照して、本実施の形態の構成は、実施の形態１の構成と比較して、カフユニット５が周方向に過度に回転することを防止するための回転停止機構７０を追加した点において異なる。回転停止機構７０は、たとえばシェル６の輪形状の端縁に軸方向に突き出すように設けられたストッパーよりなっている。このストッパー７０には、カフユニット外郭１６の外周面に設けられたつまみ部１６ａが当接可能である。ストッパー７０は、つまみ部１６ａの周方向の回転角度を規制するためにたとえば２つ配置されている。
【００７６】
なお、本実施の形態における上記以外の構成については、上述した実施の形態１の構成とほぼ同じであるため、同一または対応する要素については同一の符号を付し、その説明を省略する。
【００７７】
本実施の形態では、この回転停止機構７０によりカフユニット５の周方向への過度の回転が防止される。具体的には、カフユニット５をシェル６または基体２に対して周方向へ回転させた時、所定の回転角度位置でつまみ部１６ａが一方のストッパー７０に当接し、それ以上のカフユニット５の周方向の回転が妨げられる。またカフユニット５を周方向の逆側に回転させた時にも、所定の回転角度位置でつまみ部１６ａが他方のストッパー７０に当接し、それ以上のカフユニット５の周方向の回転が妨げられる。
【００７８】
（実施の形態５）
図２１および図２２は、本発明の実施の形態５における電子血圧計のカフユニットと自動回転機構との構成を示す概略正面図および概略斜視図である。また図２３は、自動回転機構の構成を示す概略側面図である。
【００７９】
図２１〜図２３を参照して、本実施の形態の構成は、実施の形態１の構成と比較して、カフユニット５を周方向に自動的に回転させるための自動回転機構８０を追加した点において異なる。自動回転機構８０は、たとえばカフユニット外郭１６の外周面に円弧状に設けられた大歯車８１と、その大歯車８１に噛み合う円形の小歯車８２と、その小歯車８２に接続されたモーター軸８３と、そのモーター軸８３を介して小歯車８２に回転のための駆動力を与える駆動源としてのモーター（たとえばタイミングモーター）８４とを有している。
【００８０】
なお、本実施の形態における上記以外の構成については、上述した実施の形態１の構成とほぼ同じであるため、同一または対応する要素については同一の符号を付し、その説明を省略する。
【００８１】
本実施の形態では、モーター８４で生じる駆動力により、モーター軸８３を介して小歯車８２が回転し、その小歯車８２に噛み合う大歯車８１が回転する。これにより、カフユニット５がシェル６または基体２に対して周方向に自動的に回転する。またモーター８４の駆動を制御して小歯車８２の回転方向を制御することで、図２１に示すようにカフユニット５を周方向の反時計方向（矢印Ａ１方向）または時計方向（矢印Ａ２方向）のいずれにも自動的に回転させることができる。これにより駆動源としてのモーター８４をカフユニット５から離れた位置に配置しても、モーター８４による駆動力を歯車８１、８２によりカフユニット５へ伝達することが可能になるとともに、被験者自身がカフユニット５を回転操作する必要が無くなる。
【００８２】
（実施の形態６）
図２４は、本発明の実施の形態６における電子血圧計の構成の一部を破断して示す一部破断斜視図である。また図２５は図２４に示す血圧計の測定部１７の構成を示す概略断面図であり、図２６は図２５のＸＸＶＩ−ＸＸＶＩ線に沿う概略断面図である。
【００８３】
主に図２４を参照して、本実施の形態の構成は、実施の形態１の構成と比較して、カフユニット５の周方向への回転を案内するための案内機構９０を追加した点において異なる。案内機構９０は、カフユニット外郭１６の外周面に設けられた凸状レール９１と、その凸状レール９１が嵌るようにシェル６の内周面に設けられた凹状レール９２とを有している。
【００８４】
主に図２５および図２６を参照して、この凸状レール９１と凹状レール９２とは共に、カフユニット５の周方向の全周にわたって設けられている。
【００８５】
なお、本実施の形態における上記以外の構成については、上述した実施の形態１の構成とほぼ同じであるため、同一または対応する要素については同一の符号を付し、その説明を省略する。
【００８６】
本実施の形態では、カフユニット５を周方向に回転させる際に、凸状レール９１と凹状レール９２との組合せによりカフユニット５を周方向へ案内することができる。このため、カフユニット５が周方向以外の方向へずれることを防止することができる。
【００８７】
なお凸状レール９１および凹状レール９２は周方向の全周に配置されなくても、図２７および図２８に示すように周方向の一部に円弧状に配置されてもよい。この場合、凹状レール９２の円弧の長さが凸状レール９１の円弧の長さよりも長く設定されている。この凸状レール９１の円弧の端部を凹状レール９２の円弧の端部に当接させることにより、凹状レール９２に凸状レール９１の回転のストッパとしての機能を持たせることができる。これにより、カフユニット５が必要以上に回転することを防止することができる。
【００８８】
また上記においてはカフユニット外郭１６の外周面に凸状レール９１を設け、シェル６の内周面に凹状レール９２を設けた場合について説明したが、カフユニット外郭１６の外周面に凹状レールが設けられ、シェル６の内周面に凸状レールが設けられてもよい。
【００８９】
（実施の形態７）
図２９は、本発明の実施の形態７における電子血圧計の構成を示す概略斜視図である。図２９を参照して、本実施の形態の構成は、実施の形態１の構成と比較して、基体２が測定部１７の下部にのみ位置し、かつ肘置き１８ａがその基体２に対して回転軸１８ｂにより回転可能に支持されている点において異なる。この構成においては、表示部や操作部はたとえばシェル６の上部に配置されてもよい。
【００９０】
なお、本実施の形態における上記以外の構成については、上述した実施の形態１の構成とほぼ同じであるため、同一または対応する要素については同一の符号を付し、その説明を省略する。
【００９１】
本実施の形態では、血圧測定時においては肘置き１８ａを開くことにより被験者が肘置き１８ａに肘を置くことができ、測定中の肘の位置が安定し、楽な姿勢で正しく血圧を測定することができる。また血圧を測定するとき以外は、肘置き１８ａを折り畳むことにより、血圧計１をコンパクトにすることができる。
【００９２】
（実施の形態８）
図３０は、本発明の実施の形態８における電子血圧計の外観構造を示す斜視図である。また図３１は、図３０に示す測定部のＸＸＸＩ−ＸＸＸＩ線に沿う概略断面図である。
【００９３】
主に図３０を参照して、本実施の形態における電子血圧計１０１は、基体２と、カフユニット５と、回転軸支部１０２、１０３と、表示部４とを主に有している。基体２は机などの載置台に載置される部分である。この基体２には、電源の投入に用いられる電源ボタンや測定動作を開始させるための測定ボタンなどを有する操作部３が設けられている。カフユニット５は、被測定部位である上腕を差し込むための部分であり、回転軸支部１０２によって基体２に対して回転可能および傾斜可能に支持されている。表示部４は、血圧の測定結果や操作ガイドなどを表示するための部分であり、回転軸１０３によってカフユニット５の上部に回転可能に取り付けられている。
【００９４】
主に図３１を参照して、カフユニット５は、カバー７と、カーラ圧迫用空気袋８と、布地９と、カーラ１０と、布袋１１と、生体圧迫ユニット１２と、シェル６とを有している。本実施の形態のカフユニット５の構成は、図２に示す実施の形態１のカフユニット５の構成と比較して、カーラ圧迫用空気袋８がシェル６に直接固定されている点において異なる。
【００９５】
また、カフユニット５の外周下部には回転軸支部１０２が取り付けられている。カフユニット５はその回転軸支部１０２の中心軸（仮想線Ｄ−Ｄ）を中心として回転可能なように基体２に支持されている。回転軸支部１０２の中心軸（仮想線Ｄ−Ｄ）はたとえばカフユニット５の中心軸Ｏを通るように設計されており、生体圧迫用空気袋１３の周方向中心位置Ｃがその中心軸（仮想線Ｄ−Ｄ）からカフユニット５の周方向にずれた位置に配されている。
【００９６】
図３２および図３３は、図３０に示す血圧計のカフユニットを上記中心軸（仮想線Ｄ−Ｄ）を中心として基体に対して回転させた様子を示す正面図である。主に図３２を参照して、上述したように生体圧迫用空気袋１３の周方向中心位置Ｃは中心軸（仮想線Ｄ−Ｄ）から周方向にずれた位置に配されている。この図においては、生体圧迫用空気袋１３の周方向中心位置Ｃはたとえば中心軸（仮想線Ｄ−Ｄ）に対して周方向の図中反時計方向にずれた位置に配されている。この状態で、被験者はたとえば右腕の血圧の測定を行なうことができる。またこの状態で、被験者は表示部４の表示を視認することができる。
【００９７】
この状態から、カフユニット５を中心軸（仮想線Ｄ−Ｄ）を中心として基体に対して１８０°回転させ、かつ表示部４を回転軸１０３を中心軸としてカフユニット５に対して１８０°回転させると図３３に示す状態となる。
【００９８】
主に図３３を参照して、この状態では、生体圧迫用空気袋１３の周方向中心位置Ｃはたとえば中心軸（仮想線Ｄ−Ｄ）に対して周方向の図中時計方向にずれた位置となる。この状態で、被験者はたとえば左腕の血圧の測定を行なうことができる。またこの状態においても、被験者は表示部４の表示を視認することができる。
【００９９】
またカフユニット５は基体２に対して傾斜可能に支持されている。図３４は、そのカフユニットの傾斜を実現するためのカフユニットと基体との接合部付近の構成を示す概略断面図である。図３４を参照して、カフユニット５を支持する回転軸支部１０２は、基体２と係合する略球状の先端部１０２ａと、カフユニット５を支持する支持部１０２ｃと、その先端部１０２ａおよび支持部１０２ｃをつなぐ軸部１０２ｂとを有している。
【０１００】
この略球状の先端部１０２ａが基体２の略球状の嵌合部２ａに嵌められることにより、ボールジョイントが構成されている。また基体２の嵌合部２ａ上に、基体２の上面から嵌合部２ａに向けて寸法が小さくなるテーパー形状の開口部２ｂが設けられている。これにより、回転軸支部１０２は軸部１０２ｂを中心として回転可能であると共に、略球状の先端部１０２ａの球中心を中心として基体２に対して傾斜することが可能となる。
【０１０１】
具体的には、図３５に示すように、略球状の先端部１０２ａの球中心を中心として回転軸支部１０２を図中反時計方向に回転させることにより、軸部１０２ｂが開口部２ｂの図中左側の壁面に当接するまで回転軸支部１０２は回転する。また図３６に示すように、略球状の先端部１０２ａの球中心を中心として回転軸支部１０２を図中時計方向に回転させることにより、軸部１０２ｂが開口部２ｂの図中右側の壁面に当接するまで回転軸支部１０２は回転する。上記の回転動作により、回転軸支部１０２に接続されたカフユニット５は基体２に対して図中右側にも左側にも傾斜する。カフユニット５の最大傾斜角度は開口部２ｂの壁面の傾斜角度によって設定することができる。
【０１０２】
なお回転軸支部１０２には、先端部１０２ａ、軸部１０２ｂおよび支持部１０２ｃを貫通する貫通孔１０２ｅが形成されており、この貫通孔１０２ｅ内には、カーラ圧迫用空気袋８や生体圧迫用空気袋１３に対して空気を供給、排出するためのエアチューブ１０４などが通されている。
【０１０３】
なお、これ以外の本実施の形態の構成（機能ブロックを含む）は、実施の形態１の構成とほぼ同じであるため、同一または対応する要素については同一の符号を付し、その説明を省略する。
【０１０４】
次に、本実施の形態の血圧計における血圧測定処理の流れについて説明する。
図３７は、図３０に示す血圧計を用いて血圧値を測定する際の測定姿勢を示す模式断面図である。図３７を参照して、上述の血圧計１０１を用いた血圧値の測定に際しては、被験者が、カフユニット５の内側に位置する中空部に上腕１００を差し込む。この際、被験者は、たとえば右腕で血圧を測定する場合には図３２に示すように生体圧迫用空気袋１３の周方向中心位置Ｃが中心軸（仮想線Ｄ−Ｄ）に対して反時計方向にずれた位置となるようにカフユニット５を基体２に対して回転操作をした後に、右腕をカフユニット５の中空部に差し込む。また被験者は、たとえば左腕で血圧を測定する場合には図３３に示すように生体圧迫用空気袋１３の周方向中心位置Ｃが中心軸（仮想線Ｄ−Ｄ）に対して時計方向にずれた位置となるようにカフユニット５を基体２に対して回転操作をした後に、左腕をカフユニット５の中空部に差し込む。
【０１０５】
この上腕の差込の際には、カフユニット５は基体２に対して上腕の差し込みやすい角度に適宜傾斜する。このため、被験者は上腕１００をカフユニット５の中空部にスムーズに差し込むことが可能となる。
【０１０６】
この後、血圧計１０１を作動させることにより、実施の形態１と同様、カフユニット５によって上腕１００の圧迫固定が行なわれ、その後、生体圧迫用空気袋１３を膨張・収縮させることによって動脈内に生じる動脈圧脈波の検出が行なわれ、これによって血圧値の測定が行なわれる。
【０１０７】
以上説明した本実施の形態によれば、図３１に示すようにカフユニット５の回転軸となる回転軸支部１０２の中心軸（仮想線Ｄ−Ｄ）に対して生体圧迫用空気袋１３の周方向の中心位置Ｃが周方向の一方側にずれている。このため、図３２に示すように生体圧迫用空気袋１３の周方向の中心位置Ｃが中心軸（仮想線Ｄ−Ｄ）に対して反時計方向側にずれている場合には、生体圧迫用空気袋１３の周方向の中心位置Ｃを右腕の動脈位置に合わせることができる。また、この状態からカフユニット５を基体２に対して中心軸（仮想線Ｄ−Ｄ）を中心としてたとえば１８０°回転させれば、図３３に示すように、その中心軸（仮想線Ｄ−Ｄ）に対して生体圧迫用空気袋１３の周方向の中心位置Ｃを時計方向側にずれた状態とすることができる。このため、生体圧迫用空気袋１３の周方向の中心位置Ｃを左腕の動脈位置に合わせることができる。このようにして、生体の左右両腕の各々の動脈位置に生体圧迫用空気袋１３の周方向中心位置Ｃを合わせることが可能となる。これにより、動脈位置に大きな圧迫力を効率良く加えることが可能となり、生体圧迫用流体袋に流体を過剰に供給せずとも高い測定精度を得ることが可能となる。
【０１０８】
（実施の形態９）
図３８は、本発明の実施の形態９における電子血圧計の基体と回転軸支部との係合部の構成を示す概略断面図である。また図３９は、図３８のＸＸＸＩＸ−ＸＸＸＩＸ線に沿う概略断面図である。
【０１０９】
図３８および図３９を参照して、本実施の形態の構成は、実施の形態８の構成と比較して、回転軸支部１０２の中心軸（仮想線Ｄ−Ｄ）を中心とするカフユニット５の回転角度を約１８０°に規制するための回転規制機構１１０を追加した点において異なる。この回転規制機構１１０は、たとえば先端部１０２ａの球体外周に設けられた突起１０２ｄと、この突起１０２ｄを受け入れるように嵌合部２ａの壁面に設けられたガイド溝２ｄとを有している。
【０１１０】
この構成においては、特に図３９に示すようにガイド溝２ｄは横断面において円弧状に形成されており、これにより回転軸支部１０２の中心軸（仮想線Ｄ−Ｄ）を中心としたカフユニット５の回転角度は約１８０°に規制されている。また図３８に示すようにガイド溝２ｄは縦断面においても円弧状に形成されており、これによりカフユニット５の基体２に対する傾斜角度も規制されている。
【０１１１】
なお、本実施の形態における上記以外の構成については、上述した実施の形態８の構成とほぼ同じであるため、同一または対応する要素については同一の符号を付し、その説明を省略する。
【０１１２】
本実施の形態では、回転規制機構１１０により、回転軸支部１０２の中心軸（仮想線Ｄ−Ｄ）を中心としたカフユニット５の回転角度と、基体２に対するカフユニット５の傾斜角度との双方が規制されているため、被験者がカフユニットを過剰に回転させることを防止することができる。
【０１１３】
（実施の形態１０）
上述した実施の形態１〜９においては、自動カフ巻付機構として、生体を圧迫するための生体圧迫用空気袋の外側に、カーラと、そのカーラを介して生体圧迫用空気袋を生体に押し付けるためのカーラ圧迫用空気袋とを有する機構について説明したが、本発明はこれに限定されるものではなく、他の自動カフ巻付機構を有する血圧計にも適用することができる。
【０１１４】
上記他の自動カフ巻付機構の一例として、生体圧迫用空気袋の外側に取付けられたベルトの端部を巻き取ることにより生体圧迫用空気袋を生体に押し付ける機構が用いられてもよい。以下、その自動カフ巻付機構を有する血圧計について説明する。
【０１１５】
図４０は、本発明の実施の形態１０における電子血圧計の構成を示す概略断面図である。図４０を参照して、本実施の形態における電子血圧計１２１は、机などの載置台に載置される基体２と、被測定部位である上腕を差し込むための測定部１７と、その測定部１７を基体２に対して支持するための回転軸支部１０２とを主に有している。
【０１１６】
測定部１７は、略円筒状の機枠であるシェル６と、シェル６の内周部に収納されたカフユニット５とを有している。カフユニット５は、生体圧迫用空気袋１３と、カフユニット外郭１６と、ベルト１１１と、自動巻取機構１１２と、ローラー１１３とを主に有している。カフユニット外郭１６の内側にベルト１１１が配置されている。このベルト１１１は、ローラー１１３を介してカフユニット５内に設けられた自動巻取機構１１２につながっている。このベルト１１１の内周側には生体圧迫用空気袋１３が取付けられている。
【０１１７】
上記のカフユニット５はシェル６に対して、径方向の移動を伴うことなく周方向（矢印Ａ方向）に回転可能に構成されている。そしてカフユニット５を周方向に回転させることにより、カフユニット５内に含まれる生体圧迫用空気袋１３の周方向中心位置Ｃがシェル６に対して径方向の移動を伴うことなく周方向（矢印Ａ方向）に回転可能である。
【０１１８】
なおベルト１１１と自動巻取機構１１２とローラー１１３とからなる自動カフ巻付機構１２０の構造はカフユニット５内で完結しており、カフユニット５の上記回転動作に影響を与えない。
【０１１９】
またカフユニット５の周方向への回転を案内するための案内機構９０が、実施の形態６と同様に設けられている。この案内機構９０は、カフユニット外郭１６の外周面に設けられた凸状レール９１と、その凸状レール９１が嵌るようにシェル６の内周面に設けられた凹状レール９２とを有している。これにより、カフユニット５の回転動作時にカフユニット５が周方向以外の方向へずれることを防止することができる。
【０１２０】
また凸状レール９１および凹状レール９２の各々は円弧状に形成されており、凹状レール９２の円弧の長さが凸状レール９１の円弧長さよりも長く設定されている。この凸状レール９１の円弧の端部を凹状レール９２の円弧の端部に当接させることにより、凹状レール９２に凸状レール９１の回転のストッパとしての機能を持たせることができる。これにより、カフユニット５をシェル６に対して所定の回転角度で停止させることができる。
【０１２１】
シェル６の外周面には回転軸支部１０２が取付けられている。この回転軸支部１０２は、実施の形態８と同様、測定部１７を基体２に対して回転可能および傾斜可能に支持している。この回転軸支部１０２の構成および回転軸支部１０２と基体２との接合部の構成については実施の形態８の構成とほぼ同じであるため、上述した実施の形態８の構成と同一または対応する要素については同一の符号を付し、その説明を省略する。
【０１２２】
基体２には、電源の投入に用いられる電源ボタンや測定動作を開始させるための測定ボタンなどを有する操作部が設けられている。また測定結果や操作ガイドなどを表示するための表示部は、基体２に設けられていてもよく、また実施の形態８と同様、カフユニット５に回転可能に取り付けられていてもよい。
【０１２３】
また基体２内には加圧装置１３０が配置されており、この加圧装置１３０と生体圧迫用空気袋１３とがエアチューブ１０４により流体結合されている。これにより、加圧装置１３０の動作により、生体圧迫用空気袋１３を膨張または収縮させることが可能である。
【０１２４】
上記のカフユニット５においては、自動巻取機構１１２を作動させてベルト１１１をローラー１１３を介して巻き取って、生体圧迫用空気袋１３を縮径させることにより、生体圧迫用空気袋１３を被験者の腕表面に自動的に巻き付けることができる。
【０１２５】
また本実施の形態では、上記のように構成されたカフユニット５がシェル６に対して、径方向の移動を伴うことなく周方向（矢印Ａ方向）に回転可能に構成されている。そしてカフユニット５を周方向に回転させることにより、カフユニット５内に含まれる生体圧迫用空気袋１３の周方向中心位置Ｃ（図２参照）がシェル６もしくは基体２に対して径方向の移動を伴うことなく周方向（矢印Ａ方向）に回転可能である。
【０１２６】
図４１および図４２は、図４０に示す血圧計のカフユニットをシェルに対して周方向に回転させた様子を示す断面図である。主に図４１を参照して、カフユニット５を周方向のたとえば図中反時計方向（矢印Ａ１方向）に回転させることにより、生体圧迫用空気袋１３の周方向中心位置Ｃもシェル６に対して径方向の図中反時計方向に回転させることができる。この状態で、被験者はたとえば右腕１００Ａの血圧の測定を行なうことができる。
【０１２７】
主に図４２を参照して、カフユニット５を周方向のたとえば図中時計方向（矢印Ａ２方向）に回転させることにより、生体圧迫用空気袋１３の周方向中心位置Ｃもシェル６に対して径方向の図中時計方向に回転させることができる。この状態で、被験者はたとえば左腕１００Ｂの血圧の測定を行なうことができる。なお、図４１および図４２のいずれの回転操作においても、被験者は、実施の形態１と同様、カフユニット外郭１６の外周面から突き出たつまみ部（図示せず）などを持つことで、上記の回転操作を容易に行なうことができる。
【０１２８】
上述の実施の形態においては、生体圧迫用流体袋および可撓性部材圧迫用流体袋として内部に加圧空気が注入される空気袋を採用した場合を例示して説明を行なったが、特に空気袋に限定されるものではなく、他の気体が注入される気体袋や液体が注入される液体袋にて生体圧迫用流体袋および可撓性部材圧迫用流体袋を構成することも当然に可能である。
【０１２９】
また上述の実施の形態においては、上腕を圧迫固定して血圧値を測定する電子血圧計に本発明を適用した場合を例示して説明を行なったが、本発明に基づく電子血圧計は、手首式の血圧計にも当然に適用が可能である。また、本発明に基づく電子血圧計は、上腕を圧迫固定するものに限られず、前腕や下肢、胴体など、生体のあらゆる部位の圧迫固定に適用が可能である。
【０１３０】
また上述の実施の形態２〜６の各々は互いに適宜組み合わせられてもよい。また上述の実施の形態２〜５の各々は実施の形態１０に組み合わせられてもよい。また図４０に示す実施の形態１０の測定部１７は図１に示すように基体２に回転可能に支持されていてもよい。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１３２】
本発明は、自動的に生体表面に巻き付けられる生体圧迫用流体袋を有する電子血圧計に特に有利に適用され得る。
【図面の簡単な説明】
【０１３３】
【図１】本発明の実施の形態１における電子血圧計の外観構造を示す斜視図である。
【図２】図１に示す測定部のＩＩ−ＩＩ線に沿う概略断面図である。
【図３】図１に示す血圧計のカフユニットをシェルもしくは基体に対して周方向の反時計方向に回転させた様子を示す正面図である。
【図４】図１に示す血圧計のカフユニットをシェルもしくは基体に対して周方向の時計方向に回転させた様子を示す正面図である。
【図５】図１に示す血圧計の機能ブロックを示す図である。
【図６】図１に示す血圧計を用いて血圧値を測定する際の測定姿勢を示す模式断面図である。
【図７】本発明の実施の形態１における血圧計における測定動作を示すフローチャートである。
【図８】カーラ圧迫用空気袋および生体圧迫用空気袋の加減圧動作を示す模式図であり、測定動作前を示す図である。
【図９】カーラ圧迫用空気袋および生体圧迫用空気袋の加減圧動作を示す模式図であり、カーラ圧迫用エア系を作動させてカーラ圧迫用空気袋を膨張させた状態を示す図である。
【図１０】カーラ圧迫用空気袋および生体圧迫用空気袋の加減圧動作を示す模式図であり、生体圧迫用エア系を作動させて生体圧迫用空気袋を膨張させた状態を示す図である。
【図１１】図１に示す血圧計を用いて右腕の血圧値を測定する様子を示す断面図である。
【図１２】図１に示す血圧計を用いて左腕の血圧値を測定する様子を示す断面図である。
【図１３】本発明の実施の形態２における電子血圧計の構成を示す概略断面図である。
【図１４】カフユニットをシェルに対して位置決め固定した時の図１３のＰ部を拡大して示す拡大断面図である。
【図１５】カフユニットをシェルに対して移動させた時の図１３のＰ部を拡大して示す拡大断面図である。
【図１６】本発明の実施の形態２における電子血圧計の構成の変形例を示す概略断面図である。
【図１７】本発明の実施の形態３における電子血圧計の構成を示す概略断面図である。
【図１８】図１７に示す血圧計の固定機構の構成を示す概略斜視図（ａ）および一部破断斜視図（ｂ）である。
【図１９】本発明の実施の形態４における電子血圧計の構成を示す概略斜視図である。
【図２０】本発明の実施の形態４における電子血圧計の構成を示す概略正面図である。
【図２１】本発明の実施の形態５における電子血圧計のカフユニットと自動回転機構との構成を示す概略正面図である。
【図２２】本発明の実施の形態５における電子血圧計のカフユニットと自動回転機構との構成を示す概略斜視図である。
【図２３】本発明の実施の形態５における電子血圧計の自動回転機構の構成を示す概略側面図である。
【図２４】本発明の実施の形態６における電子血圧計の構成の一部を破断して示す一部破断斜視図である。
【図２５】図２４に示す血圧計の測定部の構成を示す概略断面図である。
【図２６】図２５のＸＸＶＩ−ＸＸＶＩ線に沿う概略断面図である。
【図２７】凸状レールおよび凹状レールを円弧状に形成して、カフユニットをシェルに対して周方向の反時計方向に回転させた様子を示す断面図である。
【図２８】凸状レールおよび凹状レールを円弧状に形成して、カフユニットをシェルに対して周方向の時計方向に回転させた様子を示す断面図である。
【図２９】本発明の実施の形態７における電子血圧計の構成を示す概略斜視図である。
【図３０】本発明の実施の形態８における電子血圧計の外観構造を示す斜視図である。
【図３１】図３０に示す測定部のＸＸＸＩ−ＸＸＸＩ線に沿う概略断面図である。
【図３２】図３０に示す血圧計のカフユニットを仮想線Ｄ−Ｄを中心として基体に対して回転させた様子を示す正面図である。
【図３３】図３０に示す血圧計のカフユニットを仮想線Ｄ−Ｄを中心として基体に対して回転させた様子を示す正面図である。
【図３４】カフユニットの傾斜を実現するためのカフユニットと基体との接合部付近の構成を示す概略断面図である。
【図３５】図３０に示す血圧計において回転軸支部を基体に対して反時計方向に回転させて傾斜させた様子を示す概略断面図である。
【図３６】図３０に示す血圧計において回転軸支部を基体に対して時計方向に回転させて図中右側に傾斜させた様子を示す概略断面図である。
【図３７】図３０に示す血圧計を用いて血圧値を測定する際の測定姿勢を示す模式断面図である。
【図３８】本発明の実施の形態９における電子血圧計の基体と回転軸支部との係合部の構成を示す概略断面図である。
【図３９】図３８のＸＸＸＩＸ−ＸＸＸＩＸ線に沿う概略断面図である。
【図４０】本発明の実施の形態１０における電子血圧計の構成を示す概略断面図である。
【図４１】図４０に示す血圧計のカフユニットをシェルに対して周方向の反時計方向に回転させた様子を示す断面図である。
【図４２】図４０に示す血圧計のカフユニットをシェルに対して周方向の時計方向に回転させた様子を示す断面図である。
【図４３】右腕の血圧測定時（ａ）および左腕の血圧測定時（ｂ）のいずれにおいても、測定用空気袋の各腕への装着位置が同じことを示す断面図である。
【図４４】測定用空気袋の周方向中心位置において腕を圧迫する力が最も大きくなり、周方向の端部に向かうほど小さくなることを示す図である。
【符号の説明】
【０１３４】
１  血圧計、２  基体、２ａ  嵌合部、２ｂ  開口部、２ｄ  ガイド溝、３  操作部、４  表示部、５  カフユニット、６  シェル、７  カバー、８  カーラ圧迫用空気袋、８ａ  外周層、８ｂ  内周層、８ｃ  内腔、９  布地、１０  カーラ、１１  布袋、１２  生体圧迫ユニット、１３  生体圧迫用空気袋、１３ａ  外周層、１３ｂ  内周層、１３ｃ  内腔、１４  樹脂プレート、１５  布地、１６  カフユニット外郭、１６ａ  つまみ部、１７  測定部、１８ｂ  回転軸、２０  生体圧迫用エア系、２１  エアポンプ、２２  エアバルブ、２３  圧力センサ、２６  エアポンプ駆動回路、２７  エアバルブ駆動回路、２８  増幅器、２９  コンバータ、３０  カーラ圧迫用エア系、３１  エアポンプ、３２  エアバルブ、３３  圧力センサ、３６  エアポンプ駆動回路、３７  エアバルブ駆動回路、３８  増幅器、３９  コンバータ、４０  ＣＰＵ、４１  メモリ部、５０  位置決め機構、５１  凹部、５２  ボール、５３  スプリング、６０  固定機構、６１  スライド用溝、６２  固定用凸部、６３  固定用凹部、７０  ストッパー（回転停止機構）、８０  自動回転機構、８１  大歯車、８２  小歯車、８３  モーター軸、８４  モーター、９０  案内機構、９１  凸状レール、９２  凹状レール、１０２  回転軸支部、１０２ａ  先端部、１０２ｂ  軸部、１０２ｃ  支持部、１０２ｄ  突起、１０２ｅ  貫通孔、１０３  回転軸、１０４  エアチューブ、１１０  回転規制機構、１１１  ベルト、１１２  自動巻取機構、１１３  ローラー、１２０  自動カフ巻付機構、１３０  加圧装置。
【図１】
2007296188.tif 000003
【図２】
2007296188.tif 000004
【図３】
2007296188.tif 000005
【図４】
2007296188.tif 000006
【図５】
2007296188.tif 000007
【図６】
2007296188.tif 000008
【図７】
2007296188.tif 000009
【図８】
2007296188.tif 000010
【図９】
2007296188.tif 000011
【図１０】
2007296188.tif 000012
【図１１】
2007296188.tif 000013
【図１２】
2007296188.tif 000014
【図１３】
2007296188.tif 000015
【図１４】
2007296188.tif 000016
【図１５】
2007296188.tif 000017
【図１６】
2007296188.tif 000018
【図１７】
2007296188.tif 000019
【図１８】
2007296188.tif 000020
【図１９】
2007296188.tif 000021
【図２０】
2007296188.tif 000022
【図２１】
2007296188.tif 000023
【図２２】
2007296188.tif 000024
【図２３】
2007296188.tif 000025
【図２４】
2007296188.tif 000026
【図２５】
2007296188.tif 000027
【図２６】
2007296188.tif 000028
【図２７】
2007296188.tif 000029
【図２８】
2007296188.tif 000030
【図２９】
2007296188.tif 000031
【図３０】
2007296188.tif 000032
【図３１】
2007296188.tif 000033
【図３２】
2007296188.tif 000034
【図３３】
2007296188.tif 000035
【図３４】
2007296188.tif 000036
【図３５】
2007296188.tif 000037
【図３６】
2007296188.tif 000038
【図３７】
2007296188.tif 000039
【図３８】
2007296188.tif 000040
【図３９】
2007296188.tif 000041
【図４０】
2007296188.tif 000042
【図４１】
2007296188.tif 000043
【図４２】
2007296188.tif 000044
【図４３】
2007296188.tif 000045
【図４４】
2007296188.tif 000046